(57)【要約】【課題】簡単に展開が可能で、強度的にも問題のない，特に、化粧品や医薬品等の収納に適した包装用紙箱を提供すること。【解決手段】糊代部(11)、第１側面パネル(12)、第２側面パネル(13)、第３側面パネル(14)、第４側面パネル(15)が順次縦方向の折り曲げ線(a) を介して連設され、第１側面パネル、第２側面パネル、第３側面パネル、第４側面パネルの下端縁には横方向の折り曲げ線(b) を介して底部を形成する底片が連設されてなる角筒状の包装用紙箱であって、第４側面パネルには切断可能部(16)が設けられ、第１側面パネルに連設する糊代部の先に、切断可能部を内側から支える補強部(17)が設けられている。【選択図】図１
2006062713.tif 000002
【特許請求の範囲】
【請求項１】
糊代部、第１側面パネル、第２側面パネル、第３側面パネル、第４側面パネルが順次縦方向の折り曲げ線を介して連設され、第１側面パネル、第２側面パネル、第３側面パネル、第４側面パネルの下端縁には横方向の折り曲げ線を介して底部を形成する底片が連設されてなる角筒状の包装用紙箱であって、
前記第４側面パネルには切断可能部が設けられ、前記第１側面パネルに連設する糊代部の先に、切断可能部を内側から支える補強部が設けられていることを特徴とする、包装用紙箱。
【請求項２】
前記切断可能部は、第４側面パネルの表面と裏面の両面から半切れ線を形成させ、かつ、表面から形成させた半切れ線と裏面から形成させた半切れ線とは位置を変えて平行に設けられることにより切断可能とすることを特徴とする、請求項１記載の包装用紙箱。
【請求項３】
前記半切れ線は、つなぎ部分を介在させて設けられていることを特徴とする、請求項１又は２記載の包装用紙箱。
【請求項４】
前記糊代部、補強部、第１側面パネル、第２側面パネル、第３側面パネル、第４側面パネルの内面側には情報表示部が形成されているとを特徴とする、請求項１、２又は３記載の包装用紙箱。
【請求項５】
前記補強部の先端縁は切り落とされていることを特徴とする、請求項１、２、３又は４記載の包装用紙箱。
【請求項６】
前記横方向の折り曲げ線がミシン目状の切れ目線から形成されていることを特徴とする、請求項１、２、３、４又は５記載の包装用紙箱。
【発明の詳細な説明】
【技術分野】
【０００１】
本発明は、化粧品や医薬品等を収納する包装用紙箱に関し、特には、一度組み立てた包装用紙箱を容易に分解することが可能で、紙箱の内面側に情報表示部を設けた包装用紙箱に関する。
【背景技術】
【０００２】
従来、包装用紙箱は、板紙等で構成された６面体のものが一般的である。すなわち、４面の側面板を糊代片等で貼着した筒状体の天面と底面を閉塞して形成されている。そして、この包装用紙箱を展開するには、糊代片を剥がしたり、ジッパーと称する帯状の開封構造を設けておき、その開封構造を引き裂く等しなければならなかった。
【０００３】
一方、包装用紙箱の外側面には、商品名や製造者の名称等が印刷されており、これらが、その包装用紙箱の中身である商品についての情報を我々に提供している。
【０００４】
ところが、特に化粧品や医薬品等を収納する包装用紙箱においては、紙箱の外側面に印刷された情報だけでは、その商品について十分に説明することができない場合がある。例えば、医薬品の包装紙箱の中には、その医薬品の性能や用法，容量、服用する際の注意等が書かれた取扱い説明書が同封されている。これは、この取扱い説明書の持つ情報により、包装用紙箱の外側面の持つ情報の不足分を補うものである。
【０００５】
しかし、上述のように包装用紙箱とは別個に存在する取扱い説明書は、往々にして紛失し易いという問題がある。また、近年の環境に優しい包装技術の観点から過剰包装が見直されるようになっており、取扱い説明書を同封せずに紙箱に表示する方法が検討されている（例えば、特許文献１参照）。
【０００６】
上記先行技術文献を示す。  
【特許文献１】特開２００１−５８６３２号公報。
【０００７】
しかし、この発明においても、側板の上端縁から下端縁に帯状に分離線を設けているため、押圧強度が弱くなったり、箱を展開する際には、天部や底部の蓋片を一々開けなければならず、煩雑であるという問題がある。
【発明の開示】
【発明が解決しようとする課題】
【０００８】
本発明は、組み立てが完成している包装箱を再び展開して使用しようとする包装用紙箱に関する以上のような問題に鑑みてなされたもので、強度的にも問題がなく、簡単に展開が可能で、別刷の商品取扱い説明書等を必要としない、特に、化粧品や医薬品等の収納に適した包装用紙箱を提供することを課題とする。
【課題を解決するための手段】
【０００９】
本発明の請求項１の発明は、糊代部、第１側面パネル、第２側面パネル、第３側面パネル、第４側面パネルが順次縦方向の折り曲げ線を介して連設され、第１側面パネル、第２側面パネル、第３側面パネル、第４側面パネルの下端縁には横方向の折り曲げ線を介して底部を形成する底片が連設されてなる角筒状の包装用紙箱であって、前記第４側面パネルには切断可能部が設けられ、前記第１側面パネルに連設する糊代部の先端に、切断可能部を内側から支える補強部が設けられていることを特徴とする、包装用紙箱である。
【００１０】
このように請求項１記載の発明によれば、第４側面パネルには切断可能部が設けられ、第１側面パネルに連設する糊代部の先端に、切断可能部を内側から支える補強部が設けられているので、切断可能部を切断することにより容易に包装用紙箱を展開することができ、また、切断可能部に加わった圧力を補強部により分散することができる。
【００１１】
また、請求項２の発明は、請求項１の発明において、前記切断可能部は、第４側面パネルの表面と裏面の両面から半切れ線を形成させ、かつ、表面から形成させた半切れ線と裏面から形成させた半切れ線とは位置を変えて平行に設けられることにより切断可能とすることを特徴とする、包装用紙箱である。
【００１２】
このように請求項２記載の発明によれば、切断可能部は、第４側面パネルの表面と裏面の両面から半切れ線を形成させ、かつ、表面から形成させた半切れ線と裏面から形成させた半切れ線とは位置を変えて平行に設けられることにより切断可能としているので、切断可能部を引き裂くことにより容易に第４パネルを切断することができる。
【００１３】
また、請求項３の発明は、請求項１又は２の発明において、前記表面から形成させた半切れ線は、つなぎ部分を介在させて設けられていることを特徴とする、包装用紙箱である。
【００１４】
このように請求項３記載の発明によれば、表面から形成させた半切れ線は、つなぎ部分を介在させて設けられているので、半切れ線に力が加わっても簡単に半切れ線が折れたりすることはない。
【００１５】
また、請求項４の発明は、請求項１、２又は３の発明において、前記糊代部、補強部、第１側面パネル、第２側面パネル、第３側面パネル、第４側面パネルの内面側には情報表示部が形成されていることを特徴とする、包装用紙箱である。
【００１６】
このように請求項４記載の発明によれば、前記糊代部、補強部、第１側面パネル、第２側面パネル、第３側面パネル、第４側面パネルの内面側には情報表示部が形成されているので、商品の取扱い説明書を別途包装用紙箱に挿入する必要がない。
【００１７】
また、請求項５の発明は、請求項１、２、３又は４の発明において、前記補強部の先端縁は切り落とされていることを特徴とする、包装用紙箱である。
【００１８】
このように請求項５記載の発明によれば、補強部の先端縁が切り落とされているので、第４側面パネルに形成された切断可能部の先端から切断部のみを容易につかむことができる。
【００１９】
また、請求項６の発明は、請求項１、２、３、４又は５の発明において、前記横方向の折り曲げ線がミシン目状の切れ目線から形成されていることを特徴とする、包装用紙箱である。
【００２０】
このように請求項６記載の発明によれば、横方向の折り曲げ線がミシン目状の切れ目線から形成されているので、組み立てられた紙箱を第４側面パネルの切断部から切断することにより、底部を形成する底片を簡単に各側面パネルから分離させることができ、また、容易に紙箱を展開することができ、すばやく情報表示部に記載されている情報を読み取ることができる。
【発明の効果】
【００２１】
このように本発明の包装用紙箱は、糊代部を延長することで補強部を設け、切断可能部を設けた第４側面パネルが二重になって半切れ線による強度不足を補っている。
また、底部がミシン目状の切れ目線で容易に切り離すことができ、４面の側面パネルが一枚のフラットな面になり、大きな情報表示部をとることができる。
【発明を実施するための最良の形態】
【００２２】
本発明を一実施形態に基づいて以下に詳細に説明する。
【００２３】
本発明の包装用紙箱は、例えば、図１、図２、図３に示すように、糊代部（１１）、第１側面パネル（１２）、第２側面パネル（１３）、第３側面パネル（１４）、第４側面パネル（１５）が順次縦方向の折り曲げ線（ａ）を介して連設されており、第１側面パネル（１２）、第２側面パネル（１３）、第３側面パネル（１４）、第４側面パネル（１５）の下端縁には横方向の折り曲げ線（ｂ）を介して底部を形成する底片が連設されてなる角筒状の包装用紙箱（１）である。
【００２４】
そして、第４側面パネル（１５）の略中央部分には、上端から下端まで連続する切断可能部（１６）が設けられており、また、第１側面パネル（１２）に連設する糊代部（１１）の先端には、切断可能部（１６）を内側から支える補強部（１７）が設けられている。
【００２５】
切断可能部（１６）は、第４側面パネル（１５）の表面と裏面の両面に上端縁から下端縁まで連続して半切れ線を形成させ、かつ、表面から形成させた半切れ線（ｃ）と裏面から形成させた半切れ線（ｄ）とは位置を変えて平行に設けられてなるものである。
【００２６】
また、糊代部（１１）を第４側面パネル（１５）に貼着してブランクを角筒状に組み立てた際、半切れ線（ｃ，ｄ）が糊代部（１１）に重ならないように考慮して配置する必要がある。
【００２７】
表面から形成させた半切れ線（ｃ）は、適宜の位置に複数個のつなぎ部分（ｅ）を介在させて設けることが好ましい。こうすることにより、半切れ線部分に力が加わっても簡単に半切れ線が折れたりすることはない。
【００２８】
また、表面と裏面の両面に上端縁から下端縁まで連続して設ける半切れ線は、一般的には図示のように、一定間隔をおいて２本平行に設けて帯状の切断可能部（１６）を形成させることが好ましい。
【００２９】
糊代部（１１）、補強部（１７）、第１側面パネル（１２）、第２側面パネル（１３）、第３側面パネル（１４）、第４側面パネル（１５）の内面側には情報表示部（２１）が形成されている（図４の斜線部分）。
【００３０】
各パネル等の内面側に情報表示部（２１）を形成することにより、商品の詳しい取扱い方法等が表示でき、商品の取扱い説明書を別途包装用紙箱に挿入する必要はなくなり、省資源対策として有効である。
【００３１】
糊代部（１１）の先端縁に設けられる補強部（１７）の先端（１７１）は切り落とされている。補強部の先端縁が切り落とされていることにより、第４側面パネル（１５）に形成された切断可能部（１６）の先端（１６１）から切断部のみを容易につかむことができる。
【００３２】
第１側面パネル（１２）、第２側面パネル（１３）、第３側面パネル（１４）、第４側面パネル（１５）の下端縁に設けられる横方向の折り曲げ線（ｂ）をミシン目状の切れ目
線にすることにより、組み立てられた紙箱を第４側面パネルの切断部から切断する際、底部を形成する底片は簡単に各側面パネルから分離して、容易に紙箱を展開することができ、すばやく情報表示部（２１）に記載されている情報を読み取ることができる。
【００３３】
なお、第１側面パネル（１２）の下端縁には横方向の折り曲げ線（ｂ）を介して底片（１２１）が連設され、第２側面パネル（１３）の下端縁には横方向の折り曲げ線（ｂ）を介して底片（１３１）が連設され、第３側面パネル（１４）の下端縁には横方向の折り曲げ線（ｂ）を介して底片（１４１）が連設され、第４側面パネル（１５）の下端縁には横方向の折り曲げ線（ｂ）を介して底片（１５１）が連設されている。
【００３４】
また、第１側面パネル（１２）の上端縁には横方向の折り曲げ線を介して折り込み片（１２２）が連設され、第２側面パネル（１３）の上端縁には横方向の折り曲げ線を介して蓋片（１３２）、差し込み片（１３３）が順次連設され、第３側面パネル（１４）の上端縁には横方向の折り曲げ線を介して折り込み片（１４２）が連設されている。
【図面の簡単な説明】
【００３５】
【図１】本発明の包装用紙箱のブランクの一実施例を示す、展開説明図である。
【図２】図１を組み立て、包装用紙箱として密閉した状態と蓋を開けて一部開封した状態の一実施例を示す、斜視説明図である。
【図３】図２のＡ−Ａ’線断面説明図である。
【図４】図２の分解後の展開説明図である。
【符号の説明】
【００３６】
１‥‥包装用紙箱
１０‥‥ブランク
１１‥‥糊代部
１２‥‥第１側面パネル
１３‥‥第２側面パネル
１４‥‥第３側面パネル
１５‥‥第４側面パネル
１６‥‥切断可能部
１７‥‥補強部
２１‥‥情報表示部
１２１‥‥底片
１２２‥‥折り込み片
１３１‥‥底片
１３２‥‥蓋片
１３３‥‥差し込み片
１４１‥‥底片
１４２‥‥折り込み片
１５１‥‥底片
１６１‥‥切断可能部の先端
１７１‥‥補強片の先端
ａ‥‥縦方向の折り曲げ線
ｂ‥‥横方向の折り曲げ線
ｃ‥‥表面から形成させた半切れ線
ｄ‥‥裏面から形成させた半切れ線
ｅ‥‥つなぎ部分
【図１】
2006062713.tif 000003
【図２】
2006062713.tif 000004
【図３】
2006062713.tif 000005
【図４】
2006062713.tif 000006